(57)【要約】【課題】襟が立ちやすく、扱いが容易で、取り外しが簡単な襟の留具を提供する。【解決手段】立てた状態の襟３を、襟３の中央の前後で挟んでクリップのように保持するのに十分に長い逆Ｕ字状の全体形状を有する。逆Ｕ字状の一方の辺部には、襟３の前に接し首に沿う前直線部７と、この直線部に連続し背中方向へ向かって滑らかに曲がり傾斜する傾斜部９と、を有する。逆Ｕ字状の一方の辺部には、襟３の後に接し直線部と対向する後直線部１５を有する。この後直線部１５は、後面に、後から見た人々の目をひくアクセサリーとして働く装飾部１７を有する。前直線部７および傾斜部９の後面には、留具１が襟３を挟み込んだ状態で縦ずれや横ずれをなくすための滑り止め１１が施される。後直線部１５の前面には、留具１を抜けづらくするため鋸状の凹凸１９が形成される。【選択図】図１
2009279219.tif 000002
【特許請求の範囲】
【請求項１】
洋服の通常は畳んでいる襟を立てた状態に保持するための留具であって、立てた状態の襟を、襟の中央の前後で挟んで保持するのに十分に長い逆Ｕ字状の全体形状と、前記襟の前に接し前記逆Ｕ字状の一方の辺部を形成して首に沿う前直線部と、この直線部に連続し背中方向へ向かって滑らかに曲がり傾斜する傾斜部と、前記襟の後に接し前記逆Ｕ字状の他方の辺部を形成し前記直線部と対向する後直線部と、を有することを特徴とする襟の留具。
【請求項２】
前記後直線部は、後面に、後から見た人々の目をひくアクセサリーとして働く装飾部を有することを特徴とする請求項１に記載の襟の留具。
【請求項３】
前記前直線部および前記傾斜部の後面には、留具が襟を挟み込んだ状態で縦ずれや横ずれをなくすための滑り止めが施され、前記後直線部の前面には、留具を抜けづらくするため鋸状の凹凸を形成したことを特徴とする請求項１、または請求項２記載の襟の留具。
【発明の詳細な説明】
【技術分野】
【０００１】
この発明は、洋服の通常は畳んでいる襟を立てた状態に保持するための留具の構造に関する。
【背景技術】
【０００２】
マネキンが着ている洋服、例えばコート、上着、ブラウスなどの襟が立っていて、その見た目の姿は格好が良かったものの、その洋服を購入し、実際自分が着てみると、襟が立ちづらく、すぐに折れてしまい、満足がいかない、ということがある。
このため、下記特許文献１では、予め襟にワイヤーが入っている洋服が提案されている。また、下記特許文献２では、図４に示すように全体がπ形状の保持具１０１の左右４箇所の端部に、両面テープ１０３を貼付け、立てた状態の襟１０５に貼り付けて、立てた状態を保持することが提案されている。
【特許文献１】特許３７８４３９８
【特許文献２】特開２００４−０４４００９
【発明の開示】
【発明が解決しようとする課題】
【０００３】
しかしながら、特許文献１のワイヤー入りの襟は、洋服を実際に着てみると、襟が立ちづらく満足がいかないといった悩みが多かった。
また、特許文献２の保持具は、両面テープで貼り付けるという扱いが面倒で、取り外しが容易におこなえなかった。
この発明は、以上の問題点を解決するために、襟が立ちやすく、扱いが容易で、取り外しが簡単な襟の留具を提供することを目的とする。
【課題を解決するための手段】
【０００４】
以上の課題を解決するために、第一発明は、洋服の通常は畳んでいる襟を立てた状態に保持するための留具であって、立てた状態の襟を、襟の中央の前後で挟んで保持するのに十分に長い逆Ｕ字状の全体形状と、前記襟の前に接し前記逆Ｕ字状の一方の辺部を形成して首に沿う前直線部と、この直線部に連続し背中方向へ向かって滑らかに曲がり傾斜する傾斜部と、前記襟の後に接し前記逆Ｕ字状の他方の辺部を形成し前記直線部と対向する後直線部と、を有することを特徴とする襟の留具である。
【０００５】
第二発明は、さらに、前記後直線部は、後面に、後から見た人々の目をひくアクセサリーとして働く装飾部を有することを特徴とする襟の留具である。
第三発明は、さらに、前記前直線部および前記傾斜部の後面には、留具が襟を挟み込んだ状態で縦ずれや横ずれをなくすための滑り止めが施され、前記後直線部の前面には、留具を抜けづらくするため鋸状の凹凸を形成したことを特徴とする襟の留具である。
【発明の効果】
【０００６】
第一、第二、又は第三発明に係る襟の留具によれば、立てた状態の襟を、逆Ｕ字状の全体形状で、襟の中央の前後で挟んで保持する。このとき、前直線部は、襟の前に接し、首に沿う。傾斜部は、人体の首から背中方向へ向かっての滑らかな傾斜面に、沿う。後直線部は、直線部と対向して、立てた状態の襟を、挟む。
【０００７】
このため、襟に入れなければならない細いワイヤーに比べ、逆Ｕ字状の全体形状の剛性を十分に高くでき、襟が立ちやすい。また、傾斜部は、人体の傾斜面に沿い、洋服の生地と人体に挟まれて、いわば固定され、留具全体の姿勢を保つ働きをし、よって、襟が立ちやすい。
【０００８】
特許文献２の保持具のように両面テープを必要とせず、扱いが容易で、取り外しが簡単である。
第二、又は第三発明に係る襟の留具によれば、さらに、襟の後に露出してしまう後直線部の後面に、後から見た人々の目をひく装飾部を有することで、露出がファッション性を害せず、アクセサリーとして機能する。
第三発明に係る襟の留具によれば、さらに、線部および傾斜部の後面には滑り止めが施されるので、留具が襟を挟み込んだ状態で、縦ずれや横ずれをなくすことができる。また、後直線部には、鋸状の凹凸を形成したことで、留具を抜けづらくすることができる。
【発明を実施するための最良の形態】
【０００９】
発明の実施形態を、図１、図２に示す。
この襟の留具１は、洋服、例えばコート、上着、ブラウスなどの襟３で、通常は畳んでいる襟３を立てた状態に保持するための留具１である。留具１の材料は、金・銀・プラチナ・アルミなどの金属、またはプラスチックなどである。
図１に示すように、全体形状は逆Ｕ字状をなし、立てた状態の襟３を、襟３の中央の前後でクリップのように挟んで保持するのに十分に長い寸法を有する。
逆Ｕ字状を形成する一方の辺５は、襟３の前に接し首に沿う前直線部７と、この前直線部７に連続し背中方向へ向かって滑らかに曲がり傾斜する傾斜部９と、を有する。前直線部７および前記傾斜部９の後面には、留具１が襟３を挟み込んだ状態で縦ずれや横ずれをなくすため、ゴム製の滑り止め１１が施される。
【００１０】
逆Ｕ字状を形成する他方の辺１３は、前記一方の辺５よりも短く、細身である。そして、襟３の後に接し、直線部と対向する後直線部１５を形成する。この後直線部１５の後面には、装飾部１７を有し、後から見た人々の目をひくアクセサリーとして働く。装飾部１７は、複数の立体的な花の造形が、縦に配置されたものである。さらに、様々な宝石や飾り・模様・塗装等を施すこともできる。
【００１１】
後直線部１５の前には、留具１を抜けづらくするため鋸状の凹凸１９が形成されている。鋸状の凹凸１９は、その鋭角の部分が上方へ向かっており、これによって、留具１が上へ向かおうとすると、襟３の布地との間で摩擦が大きくなり、留具１を抜けづらくする。
「実施形態の効果」
図２に示すように、この実施形態によれば、立てた状態の襟３を、逆Ｕ字状の全体形状で、襟３の中央の前後で挟んで保持する。このとき、前直線部７は、襟３の前に接し、首に沿う。傾斜部９は、人体の首から背中方向へ向かっての滑らかな傾斜面に、沿う。後直線部１５は、直線部と対向して、立てた状態の襟３を、挟む。
【００１２】
このため、襟３に入れなければならない細いワイヤーに比べ、逆Ｕ字状の全体形状の剛性を十分に高くでき、襟３が立ちやすい。
また、図２（Ｃ）に示すように、傾斜部９は、人体の首から背中にかけての傾斜面２０に沿い、洋服の生地２２と人体の傾斜面２０に挟まれて、いわば固定され、留具１全体の姿勢をいわば直立するように保つ働きをし、よって、襟３が立ちやすい。
【００１３】
特許文献２の保持具のように両面テープを必要とせず、扱いが容易で、取り外しが簡単である。
さらに、襟３の後に露出してしまう後直線部１５の後面に、後から見た人々の目をひく装飾部１７を有することで、露出がファッション性を害せず、アクセサリーとして機能する。
さらに、線部および傾斜部９の後面には滑り止め１１が施されるので、留具１が襟３を挟み込んだ状態で、縦ずれや横ずれをなくすことができる。また、後直線部１５には、鋸状の凹凸１９を形成したことで、留具１を抜けづらくすることができる。
【００１４】
また、逆Ｕ字状の内側（前側）と外側（後側）の辺の長さを変え、さらに、内側の辺の下端を外側に曲げ傾斜部９を設けることで、留具１の装着時の違和感を解消することができる。
すなわち、傾斜部９は、首や背中に痛みや違和感を与えなくするように、首から背中にかけての人体の傾斜面２０に沿い、滑らかな角度で外側方向に曲がっているので、装着が気にならない。
【００１５】
「他の実施形態」
以上の実施形態では、逆Ｕ字状を形成する他方の辺１３は、前記一方の辺５よりも短く、幅が狭く細身であったが、他の実施形態では、例えば図３に示すように、両方の辺は、同じ幅であっても良い。
【００１６】
以上の実施形態では、逆Ｕ字状を形成する一方の辺５は、幅が上方が狭く、下方が広いものであったが、他の実施形態では、他の実施形態では、例えば図３に示すように、上下の幅があまり変わらないものであっても良い。
このように、本発明の留具は、その趣旨を逸脱しない範囲で、いろいろの形状のバリエーションをとることができる。
【図面の簡単な説明】
【００１７】
【図１】この発明の一実施形態を示す襟の留具であり、（Ａ）は側面図、（Ｂ）は後方からの斜視図、（Ｃ）は後方から見た図である。
【図２】図１の留具を装着した状態を示すもので、（Ａ）は正面図、（Ｂ）は後からの斜視図、（Ｃ）は断面図である。
【図３】この発明の他の実施形態を示す襟の留具であり、後からの斜視図である。
【図４】従来の襟を立てた状態に保持する保持具を示すもので、（Ａ）は保持具を装着した状態を示す正面図、（Ｂ）は保持具の斜視図である。
【符号の説明】
【００１８】
１…留具、３…襟、５…一方の辺、７…前直線部、９…傾斜部、１１…滑り止め、１３…他方の辺、１５…後直線部、１７…装飾部、１９…凹凸。
【図１】
2009279219.tif 000003
【図２】
2009279219.tif 000004
【図３】
2009279219.tif 000005
【図４】
2009279219.tif 000006